(57)【要約】      （修正有）【課題】内部に水を入れた場合でも、水や、花器素材である竹材の腐敗をしないようにすることによって、長期間安定的に花器として使用することのできる天然竹製花器を提供する。【解決手段】天然竹筒花器の内部の非水平の底部に、上面が水平の耐水性固形物を固定せしめ、該耐水性固形物を含む竹筒花器の内部全面を所望のうるし着色を施してなる。全体として天然素材の風合いを残しながら、剣山や、七宝を安定した状態で置けると共に、その重量を付与することによってより安定した状態で使用できる。【選択図】図１
0003143601.tif 000002
【実用新案登録請求の範囲】
【請求項１】
天然竹筒花器において、該天然竹筒花器の内部の非水平の底部に、上面が水平の耐水性固形物を固定せしめ、該耐水性固形物を含む竹筒花器の内部全面を所望のうるし着色を施してなることを特徴とする内底部を水平面とした天然竹製花器。
【請求項２】
耐水性固形物は、混練コンクリートを固化させてなる前記請求項１記載の内底部を水平面とした天然竹製花器。
【請求項３】
耐水性固形物は、陶器製又は合成樹脂製型素材である前記請求項１記載の内底部を水平面とした天然竹製花器。
【考案の詳細な説明】
【技術分野】
【０００１】この考案は、天然竹製の花器において非水平面の内の内底部を水平面とした天然竹製花器に関する。
【背景技術】
【０００２】この考案は、天然竹製の花器において竹筒内の底部は通常は非水平であるため、天然竹製の花器の内部に水を入れて内部に剣山や七宝等を置いて花器として使用しようとする場合でも内部に設置した剣山、七宝が安定せず、安定的な使用ができない傾向があった。
天然竹製の縦型の花器は、これを立てて使用した場合、軽量であるために安定しない傾向があるため、その重量を重くするために内部に錘を保持するようにした竹製の花器は存在する。（例えば、特許文献１）
又、天然竹製の横型の花器は、節部と節部との間の中間上方部に切り抜き穴を形成して、該切り抜き穴に生け花をするものも存在する。（例えば、特許文献２）【０００３】
【特許文献１】特開２００３−２９０００８号
【０００４】
【特許文献２】実開昭６２−２９１６８号
【考案の開示】
【考案の解決しようとする課題】
【０００５】天然竹製の花器は比較的に軽量であるから、生け花の生きたときに安定しない欠点がある。しかも、内部に水を入れて生け花を生ける場合、その水が竹素材に直に接触することで内部の水が早期に腐敗する傾向があり、しかも、天然竹製の花器の素材そのものも水を吸収して、変質、腐敗し易くなるという問題がある。
【０００６】従って、本考案の目的とするところも、この考案は、竹製花器を安定的に使用することが出来るようにすると共に、筒内の花器の底面を水平状態にして剣山や七宝等を安定して置けるようにし、且つ、内部に水を入れた場合でも、水や、花器素材である竹材の腐敗をしないようにすることによって、天然素材の竹製の風合いを保持しながら、長期間安定的に使用することのできる天然竹製花器を提供するものである。
【課題を解決するための手段】
【０００７】本考案は、上記の問題点に鑑み、天然竹筒花器において、該天然竹筒花器の内部の非水平の底部に、上面が水平の耐水性固形物を固定せしめ、該耐水性固形物を含む竹筒花器の内部全面を所望のうるし着色を施してなる。
【０００８】更に、耐水性固形物は、混練コンクリートを固化させることもできる。
【０００９】更に、耐水性固形物は、、陶器製、又は合成樹脂製型素材を内部底部に固定することもできる。
【考案の効果】
【００１０】この考案の内底部水平面とした天然竹製花器は、全体として天然素材の風合いを残しながら、剣山や、七宝を安定した状態で置けると共に、その重量を付与することによてより安定した状態で使用できる。
【考案を実施するための最良の形態】
【００１１】本考案は、天然竹筒花器において、該天然竹筒花器の内部の非水平の底部に上面が水平な耐水性固形物を固定し、該固形物を含む竹筒花器の内部を所望のうるし着色を施してなるものである。
【実施例】
【００１２】この考案の天然竹筒花器の製造工程の概略は以下の通りである。
第１工程
竹林より比較的大形の青竹を切り出す。外形の直径が１０センチメートル〜１５センチメートル以上のものをを用意できれば理想的である。
第２工程
青竹を所定の長さ毎に切り、青竹に含まれている「油抜き」を施す。この油抜きは、青竹の乾燥工程での竹の割れを防止するために是非必要である。
油抜きには、（１）火に炙って油脂分を竹の表面に滲み出させこれを拭っていく方法と、（２）「湯晒し」、即ち、苛性ソーダ水溶液（０．０２〜０．０５％）を入れた浴中で２０分〜３０分程度煮沸して、竹表面に滲み出た油脂分を拭き取ることによることも可能である。
第３工程
前記の油抜きした竹材料は、その後半月〜一ヶ月、天日で乾燥する。竹材表皮の緑色が象牙色に変色する。この竹を白竹と称する。
第４工程
ひび、又は割れのない白竹を選んで以下の横型花器及び縦型花器の製造工程を施す。
【実施例１】
【００１３】図１〜図３において、割れのない白竹を選んで以下の横型花器について説明する。
横型白竹１の下部に所定間隔を有するように複数の脚部２、２を形成すると共に、少なくとも二箇所以上の節部３、３を含む横方向の長さを必要とする。節部３から節部３の横型白竹１の上部中間部を切り抜き部４を形成する。下部は湾曲状の底部５に混練コンクリート素材を、その上面が水平面７となるように敷設する。混練コンクリート素材の配合比は、例えば、セメント、砂、砂利、水は、それぞれ、ほぼ、１：３：４：４５％〜６６％の割合で混合した混練コンクリートでよい。【００１４】コンクリートが乾燥固形化せしめて、これを耐水性固形物６とした後、横型白竹１の筒内部の全面に適宜に黒色うるし、又は赤色うるし又は適宜に、その他の色彩のうるし着色皮膜８を施す。このうるしによる着色皮膜は、内部に水を入れた場合の竹材への水の進入を防止すると共に、内部に生け花１０を生けた場合に内部の水を腐敗を防止するのに有効である他、耐水固形物６と白竹１表面との接着剤及び目地の充填材の役目をするものである。白竹１内部に剣山、七宝等の生け花固定具９を配置し、水を入れ、生け花１０の下部を生け花固定具９によって固定する。
【実施例２】
【００１５】図４〜図５において、割れのない白竹を選んで以下の縦型天然花器について説明する。
縦型白竹１１の上部節部１２の上方筒部１３を形成してある。上方筒部１３の上端は開口端部１９を形成してある。上方節部１２と下部節部１４との間は下方筒部２０を形成せしめ、この下方筒部２０のやや上方部に切り抜き窓部１５を開設してある。上部節部１２及び下部節部１４の内部上面には上部が水平面２１を形成するように混練コンクリートを固化せしめて耐水性固形物１６を形成してある。上方筒部１３及び下方筒部２０の内部の全面には適宜に黒色うるし、又は赤色うるしの着色皮膜１７を施してある。生け花１８の下部は、剣山、七宝等の生け花固定具２２により固定される。【００１６】上記の実施例１及び実施例２においては、耐水性固形物を混練コンクリートを固化させたものを挙げたが、このようなな固化コンクリートに代えて、陶器製、又は合成樹脂にて上面を水平にした所定の型材を予め作成しておき、これを非水平面の底部に固定した後、筒内部全面に適宜に黒色うるし、又は赤色うるしの着色皮膜せしめてよい。ここで、使用されるうるし着色皮膜は、耐水性固形物と底板との接着効果を有すると共に、白竹素材へ水分が浸透しないような防水皮膜になると共に、生け花を生けるときに内部に入れた水の腐敗防止に顕著な効果を有するものである。【００１７】更に、花器素材である白竹は、図示した以外に種々の形状のものがあると共に、上述した実施態様は、もっぱら説明上のものであって、又この考案は実用新案登録請求の範囲において限定した以外は、その特定の実施態様に制約されるものでない。
【図面の簡単な説明】
【００１８】
【図１】横型の内底部を水平面とした天然竹製花器の斜視図である。
【図２】横型の内底部を水平面とした天然竹製花器の縦断面図である。
【図３】図２におけるＡ−Ａ断面図である。
【図４】縦型の内底部を水平面とした天然竹製花器の斜視図である。
【図５】縦型の内底部を水平面とした天然竹製花器の断面図である。
【符号の説明】
１．．．横型白竹
２．．．脚部
３．．．節部
４．．．切り抜き部
５．．．底部
６．．．耐水性固形物
７．．．水平面
８．．．着色皮膜
９．．．生け花固定具
１０．．生け花
１１．．縦型白竹
１２．．上部節部
１３．．上方筒部
１４．．下部節部
１５．．切り抜き窓部
１６．．耐水性固形物
１７．．着色皮膜
１８．．生け花
１９．．開口端部
２０．．下部筒部
２１．．水平面
２２．．生け花固定具
【図１】
0003143601.tif 000003
【図２】
0003143601.tif 000004
【図３】
0003143601.tif 000005
【図４】
0003143601.tif 000006
【図５】
0003143601.tif 000007